(57)【特許請求の範囲】
【請求項１】
円筒形状の電極ユニットと、該円筒形状の電極ユニットと同心円状に、かつ該電極ユニットを囲繞するように配置される容器と、を含む還元水素水生成装置において、該円筒形状の電極ユニットの中心部に、同心円状の１本の金属製パイプを垂直方向に設け、該金属製パイプの中に、金属製パイプの内径より外径が小さい１本の円形の金属製シャフトを、設けて、該円形の金属製シャフトの外側で、水平方向に所定の間隔をおいて複数個の金属製停止突起を、固定停止して設け、該複数個の金属製停止突起の上に、水平方向に連続した円形の金属製板を、載せて、金属製シャフトの外側周壁と金属製パイプの内側周壁との間に、複数本の金属製板ばねを、円周方向に間隔をおいて垂直方向に設けるとともに該複数本の金属製板ばねの下端を、水平方向に連続した円形の金属製板の上に、載せて、金属製パイプと電極ユニットとを、金属製シャフトから着脱自在に止着したことを特徴とする還元水素水生成装置。
【発明の詳細な説明】
【技術分野】
【０００１】  この発明は、天然水などの水を還元して水素入り水を生成する還元水素水生成装置に係わるものでる。
【背景技術】
【０００２】    従来より天然水、水道水などの水は、ミネラルなどが含有されているので、還元水素水生成装置は、水の交流電気分解を行う方法では、電極全体に被せる「電極網」を設けＱ装置において、グランド電極から電極網に給電する方式の還元水素水生成装置が一般に使用されている。
この還元水素水生成装置は、交流電気分解において、電極にプラスとマイナスとの電圧を掛けるけるので、両方の電極から水素と酸素が発生するとともにプラスとマイナスが交互にかわるので、水質は酸性又はアルカリ性に傾くことなく中性（ＰＨ７）で電気分解されるために、水が水素入りの水素水になります。【０００３】  この還元水素水生成装置は、中心にあるグランド電極のシャフトに「電極網」を着脱自在に取り付ける取付具としてネジが５４が使用されている（図８図示）。
【発明の概要】
【発明が解決しようとする課題】
【０００４】  この従来の還元水素水生成装置は、グランド電極のシャフトに「電極網」を取付ける取付具としてネジを使用するために、グランド電極のシャフトの上端内側にネジ溝を設ける必要があるという問題点があったし、ネジ止めの際にはグランド電極のシャフトの上に「電極網」を被せてから、ネジをシャフトのネジ溝に合わせてネジを回転するという複雑で手間がかかるという問題点があったとともにシャフトから電極網を取外す際は、ネジを逆回転して取外すという複雑で手間がかかるという問題点があった。
更に、グランド電極のシャフトの周囲を覆う物体が存在しないためにシャフトのグランド電極に、交流電気分解されたミネラル等が、直接付着するために、グランド電極のシャフトと水との電気的接触が不良になる可能性があるという問題点があったとともに最悪の時は電気的接触が不良になるおそれがあるという問題点があった。【０００５】  この発明は、従来の還元水素水生成装置が有するこれらの問題点を解消することであり、グランド電極のシャフトに電極網を取り付け、取り外しの複雑な手間を解消し、交流電気分解されたミネラル等が、グランド電極のシャフトに付着するのをできるだけ解消することである。
【課題を解決するための手段】
【０００６】  円筒形状の電極ユニットの中心部に、同心円状の１本の円形の金属製パイプを垂直方向に設け、この金属製パイプの中に、金属製パイプの内径より外径が小さい１本の円形の金属製シャフトを、設けるとともにこの円形の金属製シャフトの外側で、水平方向に所定の間隔をおいて複数個の金属製停止突起を、固定停止して設け、この複数個の金属製停止突起の上に、水平方向に連続した円形の金属製板を、載せて、金属製シャフトの外側周壁と金属製パイプの内側周壁との間に、複数本の金属製板ばねを、円周方向に間隔をおいて垂直方向に設けるとともにこの複数本の金属製板ばねの下端を、水平方向に連続した円形の金属製板の上に、載せて、金属製パイプと電極ユニットとを、金属製シャフトから着脱自在に止着したものである。
【発明の効果】
【０００７】  この発明の還元水素水生成装置は、円筒形状の電極ユニットの中心部に、同心円状の１本の円形の金属製パイプを垂直方向に設け、この金属製パイプの中に、金属製パイプの内径より外径が小さい１本の円形の金属製シャフトを、設けるとともにこの円形の金属製シャフトの外側で、水平方向に所定の間隔をおいて複数個の金属製停止突起を、固定停止して設け、この複数個の金属製停止突起の上に、水平方向に連続した円形の金属製板を、載せて、金属製シャフトの外側周壁と金属製パイプの内側周壁との間に、複数本の金属製板ばねを、円周方向に間隔をおいて垂直方向に設けるとともにこの複数本の金属製板ばねの下端を、水平方向に連続した円形の金属製板の上に、載せて、金属製パイプと電極ユニットとを、金属製シャフトから着脱自在に止着したから、グランド電極の金属製シャフトに間隔をおいて金属製パイプを垂直方向に設けたことによりグランド電極の金属製シャフトと金属製パイプとの間に、カルシュムなどのミネラルが付着するのを防止することかできるという効果があるとともにこのために、グランド電極のシャフトと水との電気的接触が良い状態で円滑に還元水素水生成を行うことができるという効果がある。
更に、金属製シャフトとの金属製パイプとの間に複数本の金属製板ばねを間隔をおいて設けたことにより金属製パイプをシャフトの外側に挿入する際に、板ばねは径の内側に押されて引き伸ばされた状態で円滑で容易に挿入できるし、着脱自在に止着することができるという効果があるとともに金属製パイプを金属製シャフトの外側に挿入してこの装置を長期間使用して金属製パイプの外側に多量のミネラルなどが付着して清掃のため又は部品交換のために電極網と一体の金属製パイプを、金属製シャフトより取り外す際は、板ばねによる着脱自在の止着であるので、円滑で容易に取り外すことができるという効果がある。【０００８】
【図面の簡単な説明】
【０００９】
【図１】  本発明装置要部の正面図である。
【図２】  同じく平面図である。
【図３】  同じく縦断面図である。
【図４】  同じく要部のが拡大縦断面図である。
【図５】  同じく別の要部のが拡大縦断面図である。
【図６】  同じく第２別の要部のが拡大縦断面図である。
【図７】  本発明装置に容器を取付けた正面図である。
【図８】  従来装置要部の縦断面図である。
【発明を実施するための形態】
【００１０】  この発明の還元水素水生成装置は、円筒形状の電極ユニットの中心部に、同心円状の１本の円形の金属製パイプを垂直方向に設け、この金属製パイプの中に、金属製パイプの内径より外径が小さい１本の円形の金属製シャフトを、設けるとともにこの円形の金属製シャフトの外側で、水平方向に所定の間隔をおいて複数個の金属製停止突起を、固定停止して設け、この複数個の金属製停止突起の上に、水平方向に連続した円形の金属製板を、載せて、金属製シャフトの外側周壁と金属製パイプの内側周壁との間に、複数本の金属製板ばねを、円周方向に間隔をおいて垂直方向に設けるとともにこの複数本の金属製板ばねの下端を、水平方向に連続した円形の金属製板の上に、載せて、金属製パイプと電極ユニットとを、金属製シャフトから着脱自在に止着したものである。
【実施例１】
【００１１】  この還元水素水生成装置は、円筒形状で電極ユニット１１を、電極プレート１２の上に設ける（図１と図２図示）。
円筒形状で電極ユニット１１の中心部に、図４図示のように、同心円状の１本の円形の金属製パイプ１４を垂直方向に設け、この金属製パイプの中に、金属製パイプの内径より外径が小さい１本の円形の金属製シャフト１３を設ける。
この円形の金属製シャフトの外側の上部に、水平方向に所定の間隔をおいて複数個の金属製停止突起１６を、固定停止して設け、この複数個の金属製停止突起の上に、水平方向に連続した円形の金属製板１７を、載せる。
６本のステンレス製板ばね１５は、円周方向に間隔をおいて垂直方向にした６本のステンレス製板ばねの下端を、この円形の金属製板１７の上に、載せて、金属製パイプと電極ユニットとを、金属製シャフトから着脱自在に止着したものである。
この実施例１では、金属製板ばねが、ステンレス製のものについて説明したが、ステンレスに代えて、チタン、白金の金属製板ばねが良い。【００１２】  この実施例１の金属製電極網などを一体にした金属製パイプ１４を、金属製シャフト１３（グランド電極）に、金属製シャフトの上部から下部に挿入すると、金属製シャフトの上部に設けたステンレス製板ばね１５は、内側へと押されながら、金属製パイプは金属製シャフトの下方向に移動して金属製パイプは金属製シャフトに金属製板ばねで着脱自在に止着される。
この還元水素水生成装置を長期間使用することにより金属製パイプの外側や電極網などにミネラルなどが付着して洗浄する時は、金属製パイプを電極網などとともに金属製シャフトの引き上げることにより、ステンレス製板ばねで着脱自在に止着されている金属製シャフトから取り外して洗浄する。【００１３】  この実施例１の還元水素水生成装置を実際に使用する時は、図７に図示したように、容器４１を容器載せ台４２の上に載せる。
容器４１の中に水を入れる時は、容器の上の蓋を開けて容器に水を入れてから、装置に交流電気のスイッチを入れて使用する。
【実施例２】
【００１４】  実施例２は、実施例１の還元水素水生成装置と異なる要部の構成として図５に図示のように、複数個の金属製停止突起２６を、１本の円形の金属製シャフト２３の外側の下部に、水平方向に所定の間隔をおいて固定停止して取り付ける。
この複数個の金属製停止突起の上に、水平方向に連続した円形の金属製板２７を、載せ、この金属製板の上に、ステンレス製板ばね２５を載せ、金属製シャフト２３の外側に、１本の円形の金属製パイプ２４を設けたことを要部とした還元水素水生成装置である。
【実施例３】
【００１５】  実施例３は、実施例１の還元水素水生成装置と異なる要部の構成として図６に図示のように、複数個の金属製停止突起３６を、１本の円形の金属製シャフト３３の外側の上下方向の中間部外側に、水平方向に所定の間隔をおいて固定停止して取り付ける。
この複数個の金属製停止突起の上に、水平方向に連続した円形の金属製板３７を、載せて、この金属製板の上に、ステンレス製板ばね３５を載せ、金属製シャフト３３の外側に、１本の円形の金属製パイプ３４を設けたことを要部とした還元水素水生成装置である。
【符号の説明】
【００１６】１１  電極ユニット
１２  電極プレート
１３  金属製シャフト
１４  金属製パイプ
１５  ステンレス製板ばね
１６  金属製停止突起
１７  円形の金属製板
【図１】
0006446633.tif 000002
【図２】
0006446633.tif 000003
【図３】
0006446633.tif 000004
【図４】
0006446633.tif 000005
【図５】
0006446633.tif 000006
【図６】
0006446633.tif 000007
【図７】
0006446633.tif 000008
【図８】
0006446633.tif 000009